(57)【要約】【課題】カバーが外れにくい照明器具を提案する。【解決手段】照明器具１は、前壁２０を有する箱型の器具本体２と、器具本体２に設置され、前壁２０の前方に向けて照明光を放射する光源ユニット３と、支持アーム４と、カバー５と、固定具６と、備える。支持アーム４は、前壁２０に設けられた貫通孔２００を通じて器具本体２内に挿入される後部分４０と、前壁２０から前方に突出する前部分４１とを有する。カバー５は、前部分４１に支持され、光源ユニット３を前方から覆う。固定具６は、後部分４０を器具本体２に固定する。後部分４０には、固定具６が後部分４０から外れた状態において前壁２０に引っ掛かる引っ掛け部４２が設けられている。【選択図】図１
2020173995.tif 000002
【特許請求の範囲】
【請求項１】
前壁を有する箱型の器具本体と、
前記器具本体に設置され、前記前壁の前方に向けて照明光を放射する光源ユニットと、
前記前壁に設けられた貫通孔を通じて前記器具本体内に挿入される後部分と、前記前壁から前方に突出する前部分とを有する支持アームと、
前記前部分に支持され、前記光源ユニットを前方から覆うカバーと、
前記後部分を前記器具本体に固定する固定具と、を備え、
前記後部分には、前記固定具が前記後部分から外れた状態において前記前壁に引っ掛かる引っ掛け部が設けられている、
照明器具。
【請求項２】
前記器具本体内に設けられる支え部を更に備え、
前記後部分には、前記固定具が前記後部分から外れた状態において前記支え部に下側から引っ掛かる第二引っ掛け部が設けられている、
請求項１に記載の照明器具。
【請求項３】
前記支え部は、前記固定具が固定される固定板と、前記固定板の下端から前記固定板の厚み方向に突出し、前記第二引っ掛け部が下側から引っ掛かる下板と、を有する、
請求項２に記載の照明器具。
【請求項４】
前記貫通孔は、前記引っ掛け部が通過可能な上部分と、前記上部分の下方に位置し、前記引っ掛け部よりも幅の狭い中間部分と、前記中間部分の下方に位置する下部分と、を含む、
請求項１から３のいずれか一項に記載の照明器具。
【請求項５】
前記器具本体内に設けられるガイド部を更に備え、
前記ガイド部は、前記貫通孔を通じて前記器具本体内に挿入される前記後部分を受けて、前記後部分を前記固定具によって前記器具本体に固定される固定位置へと案内する、
請求項１から４のいずれか一項に記載の照明器具。
【請求項６】
前記支持アームの前記後部分は、前記固定具が固定される固定板を有し、
前記引っ掛け部は、前記固定板に対して前記固定板の厚み方向に並んで位置する、
請求項１から５のいずれか一項に記載の照明器具。
【発明の詳細な説明】
【技術分野】
【０００１】
本開示は、照明器具に関する。
【背景技術】
【０００２】
特許文献１には、照明器具が記載されている。この照明器具は、箱型の収容部と、収容部の前面中央部に配置されたＬＥＤ光源部と、ＬＥＤ光源部を前側から覆う略板状のセードと、を備える。
【０００３】
セードは、収容部から前方に突出した一対の器具主体に取付ボルトで取り付けられることで、ＬＥＤ光源部の前方に保持されている。
【先行技術文献】
【特許文献】
【０００４】
【特許文献１】特開２０１４−１７０６５４号公報
【発明の概要】
【発明が解決しようとする課題】
【０００５】
ところで、特許文献１に記載の照明器具では、取付ボルトが緩む等して外れた場合に、セード（つまりカバー）が外れて落下するおそれがあった。
【０００６】
上記事情に鑑みて、本開示は、カバーが外れにくい照明器具を提案することを、目的とする。
【課題を解決するための手段】
【０００７】
本開示に係る一態様の照明器具は、前壁を有する箱型の器具本体と、前記器具本体に設置され、前記前壁の前方に向けて照明光を放射する光源ユニットと、支持アームと、カバーと、固定具と、を備える。前記支持アームは、前記前壁に設けられた貫通孔を通じて前記器具本体内に挿入される後部分と、前記前壁から前方に突出する前部分とを有する。前記カバーは、前記前部分に支持され、前記光源ユニットを前方から覆う。前記固定具は、前記後部分を前記器具本体に固定する。前記後部分には、前記固定具が前記後部分から外れた状態において前記前壁に引っ掛かる引っ掛け部が設けられている。
【発明の効果】
【０００８】
本開示に係る一態様の照明器具は、カバーが外れにくい。
【図面の簡単な説明】
【０００９】
【図１】図１は、一実施形態の照明器具を示す斜視図である。
【図２】図２は、同上の照明器具が備える支持アームと支え部（支え部材）を示す分解状態の斜視図である。
【図３】図３は、同上の照明器具が備える器具本体の前壁に設けられた貫通孔と支持アームとの関係を示す正面図である。
【図４】図４は、同上の器具本体に支持アームを組み立てる様子を示す側面図である。
【図５】図５は、同上の器具本体に支持アームを組み立てる様子を示す側面図である。
【図６】図６は、同上の器具本体に支持アームを組み立てる様子を示す側面図である。
【図７】図７は、同上の器具本体に支持アームを組み立てる様子を示す側面図である。
【図８】図８は、同上の器具本体から支持アームが外れていく様子を示す側面図である。
【図９】図９は、同上の器具本体から支持アームが外れていく様子を示す側面図である。
【発明を実施するための形態】
【００１０】
１．概要
図１に示す一実施形態の照明器具１は、前壁２０を有する箱型の器具本体２と、器具本体２に設置され、前壁２０の前方に向けて照明光を放射する光源ユニット３と、支持アーム４と、カバー５と、固定具６と、備える。支持アーム４は、前壁２０に設けられた貫通孔２００を通じて器具本体２内に挿入される後部分４０と、前壁２０から前方に突出する前部分４１とを有する。カバー５は、前部分４１に支持され、光源ユニット３を前方から覆う。固定具６は、後部分４０を器具本体２に固定する。後部分４０には、固定具６が後部分４０から外れた状態において前壁２０に引っ掛かる引っ掛け部４２が設けられている。
【００１１】
上記構成を備えることで、一実施形態の照明器具１では、固定具６が支持アーム４の後部分４０から外れた状態において、支持アーム４の引っ掛け部４２が前壁２０に引っ掛かる。そのため、一実施形態の照明器具１では、支持アーム４が前壁２０の貫通孔２００から抜け出すことを防ぐことができて、カバー５が外れにくい。
【００１２】
２．詳細
続いて、一実施形態の照明器具１について更に詳しく説明する。図１に示す照明器具１は、非常灯及び階段通路誘導灯を兼用する照明器具である。照明器具１は、例えば、集合住宅の共用部の廊下や、階段の踊り場に設置される。
【００１３】
以下では、図１に矢印で示す前後、上下及び左右方向を用いて、照明器具１の各構成について説明する。照明器具１は、器具本体２の後面が建物の壁側を向くように、壁に取り付けられる。
【００１４】
照明器具１は、図１に示すように、器具本体２、光源ユニット３、支持アーム４、カバー５、及び固定具６に加えて、支え部（支え部材７ａ，７ｂ）、ガイド部（ガイド片７５，７６（図２参照））、センサ８、拡散部材９、及び非常用光源ユニット１０を備える。
【００１５】
まず、照明器具１の基本的な構成について説明する。
【００１６】
器具本体２は、直方体の箱型である。器具本体２は、正方形板状の前壁２０及び後壁２１と、長方形板状の上壁、下壁２２、左右一対の側壁２３とを有している。後壁２１の上端から上壁が前方に突出し、後壁２１の下端から下壁２２が前方に突出し、後壁２１の左端と右端のそれぞれから側壁２３が前方に突出している。上壁の左右両端と左右一対の側壁２３の上端とがつながっており、下壁２２の左右両端と左右一対の側壁２３の下端とがつながっている。後壁２１、上壁、下壁２２、及び左右一対の側壁２３は、例えば、一枚の金属板によって一体に形成される。後壁２１の後面が、器具本体２の後面であり、建物の壁側を向く面である。左右一対の側壁２３のそれぞれの前端部には、左右方向内側前方に突出した突出片２３０が設けられている。
【００１７】
前壁２０は、前壁２０の左右の端部のそれぞれを前後方向に貫通する貫通孔２００と、前壁２０を支え部材７に固定するねじ等の固定具が挿入される挿入孔２０１と、前壁２０の上部を前後方向に貫通する設置孔２０２と、を有する。挿入孔２０１は、左右の貫通孔２００の左右方向内側に一つずつ位置する。設置孔２０２は、前壁２０の上部のうち左右方向の中央部に位置する。前壁２０は、例えば、金属板で形成される。
【００１８】
前壁２０は、その左右の端部が左右一対の支え部材７に固定具で固定されることで、後壁２１、上壁、下壁２２、及び左右一対の側壁２３によって囲まれた空間（器具本体２の内部空間）の前方に配置される。
【００１９】
カバー５は、支持アーム４の前部分４１の前端部に支持され、器具本体２の前壁２０の前方に配置されて、光源ユニット３及びセンサ８を前方から覆う。
【００２０】
カバー５は、本実施形態では、正方形の板状である。カバー５の左右の端部のそれぞれには、留め具１１が通される貫通孔５０が形成されている。カバー５は、光源ユニット３から放射される光が透過可能である。カバー５は、センサ８の電波を透過可能な材料で形成されている。本実施形態では、カバー５は、ガラス製であり、透光性を有している。なお、カバー５は、アクリル樹脂又はポリカーボネート樹脂等の、透光性を有する合成樹脂によって形成されてもよいし、上記の合成樹脂に拡散材を混入したもので形成されてもよい。
【００２１】
光源ユニット３は、光源と、光源から放射される光の配光を制御するレンズを有する。光源は、例えば、照明用白色ＬＥＤ（Ｌｉｇｈｔ  Ｅｍｉｔｔｉｎｇ  Ｄｉｏｄｅ）である。レンズは、透光性を有する材料で形成される。レンズは、例えば、ガラス（石英ガラス等）で形成される。なお、レンズは、ポリカーボネート樹脂又はアクリル樹脂等の合成樹脂で形成されてもよい。光源ユニット３は、器具本体２の前壁２０の前面の中央部に取り付けられる。
【００２２】
拡散部材９は、光源ユニット３を前方から覆って光源ユニット３が放射する照明光を拡散させる部材である。拡散部材９は、アクリル樹脂又はポリカーボネート樹脂等の透光性を有する合成樹脂に拡散材を混入して形成されている。拡散部材９は、前方に向けて突出し、かつ後方に向けて開口したドーム状に形成されている。拡散部材９は、ねじ等の固定具で前壁２０に固定される。
【００２３】
光源ユニット３の光源から放射される光は、レンズによって配光制御されて、器具本体２の前方に向かって上下及び左右方向に広がるように進行する。レンズから出射する光は、拡散部材９によって拡散され、これにより、拡散部材９から出射する光の均斉度の向上が図られる。
【００２４】
光源ユニット３の光源には、常用点灯装置が電気的に接続されている。常用点灯装置は、商用の電力系統等の常用電源から供給される常用電力で光源ユニット３の光源を点灯させる装置である。
【００２５】
常用点灯装置は、ケースとその内側に収容されるプリント回路とを有する。プリント回路は、常用電源から供給される交流電力を直流電力に変換する電力変換回路、及び光源ユニット３の光源に供給する直流電流を定電流化する定電流回路等を構成している。常用点灯装置は、前壁２０の後面にねじ等の固定具で取り付けられている。
【００２６】
非常用光源ユニット１０は、器具本体２の下面から器具本体２の下方に向けて照明光を放射するように構成されている。
【００２７】
非常用光源ユニット１０は、光源と、光源から放射される光の配光を制御するレンズを有する。光源は、例えば、照明用白色ＬＥＤである。非常用光源ユニット１０は、器具本体２の下壁２２に取り付けられる。下壁２２の下面の中央部には、器具本体２の内部に向かって（つまり上方に向かって）円すい台状に凹んだ凹所２２０が設けられている。凹所２２０の底面には、円形の孔が貫通している。
【００２８】
レンズは、透光性を有する材料で形成される。レンズは、例えば、ガラス（石英ガラス等）で形成される。なお、レンズは、ポリカーボネート樹脂又はアクリル樹脂等の合成樹脂で形成されてもよい。非常用光源ユニット１０は、レンズの一部（下部）が凹所２２０の底面の孔を通って器具本体２の外側（下側）に突出するように、下壁２２に取り付けられている。レンズから出射する光の一部は、凹所２２０の側面によって反射される。
【００２９】
非常用光源ユニット１０の光源には、非常用点灯装置が電気的に接続されている。非常用点灯装置は、常用電源の停電時に、非常用電源から供給される非常用電力（直流電力）によって非常用光源ユニット１０を点灯させる装置である。非常用電源は、常用電源から供給される常用電力で充填される蓄電池である。非常用点灯装置及び非常用電源は、器具本体２の後壁２１の前面に固定されている。
【００３０】
センサ８は、周囲の状況を検出するセンサである。センサ８は、例えば、電波を利用して周囲の状況として人の存在を検出する人感センサである。センサ８は、例えば、ドップラー効果を利用した電波式センサである。センサ８は、その前部分が、器具本体２の前壁２０から前方に突出するように、前壁２０の設置孔２０２内に設置されている。センサ８は、その前面が下側の部分ほど後方に位置するように、前壁２０に対して傾いた姿勢で設置されている。センサ８は、例えば、折れ曲がった板状の設置具を介して器具本体２の後壁２１に固定されている。
【００３１】
センサ８には、制御装置が電気的に接続されている。制御装置は、センサ８の検出結果に応じて光源ユニット３を制御する装置である。制御装置は、センサ８が人の存在を検出していないときに光源ユニット３の光源から放射する照明光の光量を基準値よりも小さく（例えば半分に）するように光源ユニット３を制御する。また、制御装置は、センサ８が人の存在を検出しているときに照明光の光量を前記基準値に一致させるように光源ユニット３を制御する。制御装置は、器具本体２の後壁２１の前面に固定されている。
【００３２】
続いて、器具本体２の前方にカバー５を保持するための保持構造について詳しく説明する。
【００３３】
器具本体２の左右一対の側壁２３のそれぞれには、固定具６が挿入される挿入孔２３１が設けられている。挿入孔２３１は、側壁２３の上下方向の中央部に位置している。
【００３４】
照明器具１は、器具本体２内に設けられる支え部を備える。支え部は、左右一対の支え部材７ａ，７ｂで構成される。右側の支え部材７ａは、右側の側壁２３の挿入孔２３１がある部分の左側に間隔をおいて位置するように器具本体２内に設置される。左側の支え部材７ｂは、左側の側壁２３の挿入孔２３１がある部分の右側に間隔をおいて位置するように器具本体２内に設置される。左右一対の支え部材７ａ，７ｂのそれぞれは、器具本体２の後壁２１の前面に固定されている。左右一対の支え部材７ａ，７ｂは、互いに構造が同じである。
【００３５】
支持アーム４は、左右一対の支持アーム４ａ，４ｂで構成される。左右一対の支持アーム４ａ，４ｂは、互いに構造が同じである。図２には、右側の支え部材７ａと、支え部材７ａによって支持される右側の支持アーム４ａが示されている。以下では、右側の支え部材７ａ及び右側の支持アーム４ａについて、詳しく説明する。
【００３６】
支持アーム４ａは、固定具６が固定される矩形の板状のアーム固定板４４と、アーム固定板４４の前端から右斜め前方に突出した台形状の支持板４５と、支持板４５の前端から左側に突出した半楕円状の取付板４６と、を有する。支持アーム４ａは更に、アーム固定板４４の上端から左側に突出した上板４７と、アーム固定板４４の下端から左側に突出した下板４８と、を有する。支持アーム４ａは更に、上板４７の後端から下方に突出した上引っ掛け片４９と、下板４８の後端から上方に突出した下引っ掛け片５１と、を有する。
【００３７】
支持板４５は、前側の部分ほど右側に位置するように、アーム固定板４４に対して傾いている。支持板４５は、アーム固定板４４の前端の上下方向の全長から突出している。取付板４６は、アーム固定板４４の厚み方向（つまり左右方向）に対して平行となるように、支持板４５の前端から突出している。取付板４６は、支持板４５の前端の上下方向の全長から突出している。
【００３８】
取付板４６には、留め具１１（図１参照）を取付板４６に対して固定するねじ等の固定具が挿入される孔４６０が設けられている。本実施形態では、取付板４６には、二つの孔４６０が設けられている。アーム固定板４４には、器具本体２の右側の側壁２３の挿入孔２３１に対応する部分に、固定具６が固定される固定孔４４０が設けられている。
【００３９】
上板４７は、アーム固定板４４の上端のうち、前端部を除いた残りの部分の前後方向の全長から突出している。同様に、下板４８は、アーム固定板４４の下端のうち、前端部を除いた残りの部分の前後方向の全長から突出している。上板４７と下板４８は、互いに平行である。上板４７と下板４８のそれぞれは、アーム固定板４４に対して垂直である。
【００４０】
上引っ掛け片４９は、上板４７に対して垂直である。上引っ掛け片４９は、アーム固定板４４の後端部の左側に位置する。言い換えると、上引っ掛け片４９は、アーム固定板４４に対してアーム固定板４４の厚み方向に並んで位置する。上引っ掛け片４９は、アーム固定板４４に対して垂直である。
【００４１】
下引っ掛け片５１は、下板４８に対して垂直である。下引っ掛け片５１は、アーム固定板４４の後端部の左側に位置する。言い換えると、下引っ掛け片５１は、アーム固定板４４に対してアーム固定板４４の厚み方向に並んで位置する。下引っ掛け片５１は、アーム固定板４４に対して垂直である。上引っ掛け片４９と下引っ掛け片５１は、上下方向に間隔をおいて位置する。
【００４２】
支持アーム４ａのうち、支持板４５と、取付板４６と、アーム固定板４４の前端部と、上板４７の前端部と、下板４８の前端部が、前部分４１を構成する。支持アーム４ａのうち、アーム固定板４４の前端部を除いた残りの部分と、上板４７の前端部を除いた残りの部分と、下板４８の前端部を除いた残りの部分が、支持アーム４ａの後部分４０を構成する。上引っ掛け片４９が、固定具６が外れた状態において前壁２０に引っ掛かる引っ掛け部４２を構成し、下引っ掛け片５１が、固定具６が外れた状態において支え部に下側から引っ掛かる第二引っ掛け部４３を構成する。第二引っ掛け部４３は、支持アーム４ａの後部分４０に設けられている。
【００４３】
続いて、右側の支え部材７ａについて説明する。
【００４４】
支え部材７ａ（支え部）は、固定具６が固定される矩形の板状の固定板７０と、固定板７０の前端から左側に突出した前取付板７１と、固定板７０の上端から左側に突出した上板７２と、固定板７０の下端から左側に突出した下板７３とを有する。支え部材７ａは更に、固定板７０の後端から左側に突出した後取付板７４と、後取付板７４の上端から前方に突出した上ガイド片７５と、後取付板７４の下端から前方に突出した下ガイド片７６と、後取付板７４の左端から前方に突出した突出板７７と、を有する。
【００４５】
固定板７０には、器具本体２の側壁２３の挿入孔２３１に対応する部分に、固定孔７００が設けられている。固定板７０は、上下方向の長さが、支持アーム４ａの上引っ掛け片４９と下引っ掛け片５１の間の距離よりも短い。
【００４６】
前取付板７１には、前取付板７１に対して前壁２０を固定するためのねじ等の固定具が固定される固定孔７１０が設けられている。前取付板７１の上下方向の長さと、固定板７０の上下方向の長さは同じである。前取付板７１の前面７１１は、前壁２０の後面を受ける支持面を構成している。
【００４７】
上板７２は、固定板７０の上端のうち後端部を除いた残りの部分の全長から突出している。上板７２は、固定板７０の上端から固定板７０の厚み方向に突出している。上板７２は、固定板７０に対して垂直である。
【００４８】
下板７３は、固定板７０の下端のうち後端部を除いた残りの部分の全長から突出している。下板７３は、固定板７０の下端から固定板７０の厚み方向に突出している。下板７３は、固定板７０に対して垂直である。下板７３は、第二引っ掛け部４３（下引っ掛け片５１）が下側から引っ掛る部分である。下板７３の下面７３０は、第二引っ掛け部４３が引っ掛かる面を構成している。下板７３と上板７２は、互いに平行である。
【００４９】
後取付板７４には、器具本体２の後壁２１に対して後取付板７４を固定するためのねじ等の固定具が挿入される挿入孔７４０が設けられている。後取付板７４の前面は、支持アーム４ａの上引っ掛け片４９の後面と下引っ掛け片５１の後面を受ける支持面を構成している。後取付板７４は、上板７２及び下板７３に対して間隔をおいて位置する。
【００５０】
上ガイド片７５は、前側の部分ほど上方に位置するように、後取付板７４に対して傾いた傾斜片である。下ガイド片７６は、前側の部分ほど下方に位置するように、後取付板７４に対して傾いた傾斜片である。上ガイド片７５と下ガイド片７６の間の上下方向の距離は、前側ほど大きい。上ガイド片７５の後端と下ガイド片７６の後端の間の距離は、支持アーム４ａの上板４７の上面と下板４８の下面の間の距離と同じである。そのため、上ガイド片７５と下ガイド片７６は、支持アーム４ａの上下位置を決める位置決め片を構成している。
【００５１】
上ガイド片７５と下ガイド片７６は、器具本体２内に設けられ、前壁２０の貫通孔２００を通じて器具本体２内に挿入される支持アーム４ａの後部分４０を受けて、後部分４０を固定具６によって固定される固定位置へと案内するガイド部を構成している。
【００５２】
突出板７７は、後取付板７４の左端の上下方向の全長から突出している。突出板７７は、固定板７０に対して平行である。
【００５３】
支え部材７ａは、後取付板７４を器具本体２の後壁２１に固定具で固定することで、器具本体２内に設置される。支え部材７ａは、器具本体２の後壁２１に対して固定された状態で、固定孔７００が器具本体２の右側の側壁２３の挿入孔２３１に対して一直線状に並ぶ。
【００５４】
器具本体２の後壁２１に、左右一対の支え部材７ａ，７ｂを固定し、この左右一対の支え部材７ａ，７ｂの前取付板７１に、前壁２０の左右の端部（挿入孔２０１のある部分）を、固定具で固定することで、箱型の器具本体２が形成される。固定具は、前壁２０の左右の挿入孔２０１を通って、左右の支え部材７ａ，７ｂの前取付板７１の固定孔７１０に対して固定される。
【００５５】
器具本体２の前壁２０の貫通孔２００は、図３に示すように、支持アーム４ａの引っ掛け部４２が挿入可能な上部分２０３と、上部分２０３の下方に位置し、引っ掛け部４２よりも幅狭の中間部分２０４と、中間部分２０４の下方に位置する下部分２０５と、を含む。図３には、右側の貫通孔２００が示されている。右側の貫通孔２００と左側の貫通孔２００は、互いに左右対称に設けられている（図１参照）。
【００５６】
上部分２０３は、支持アーム４ａの上引っ掛け片４９と上板４７とアーム固定板４４の上部が、前後方向に出し入れ可能な大きさに形成されている。上部分２０３の上下方向の長さは、上板４７の上面から上引っ掛け片４９の下面までの距離と略同じである（詳しくは僅かに大きい）。上部分２０３の左右方向の長さ（つまり幅）は、上引っ掛け片４９の左面からアーム固定板４４の右面までの距離よりも僅かに大きい。
【００５７】
中間部分２０４は、支持アーム４ａのアーム固定板４４が、前後方向に出し入れ可能であり、かつ支持アーム４ａの上引っ掛け片４９と上板４７とアーム固定板４４の上部が前後方向に出し入れ不可な大きさに形成されている。中間部分２０４の左右方向の長さ（つまり幅）は、アーム固定板４４の左右方向の長さ（つまり厚み）よりも僅かに大きい。中間部分２０４の上下方向の長さは、支持アーム４ａの上引っ掛け片４９と下引っ掛け片５１の間の距離よりも僅かに小さい。
【００５８】
下部分２０５は、支持アーム４ａの下引っ掛け片５１と下板４８とアーム固定板４４の下部が、前後方向に出し入れ可能な大きさに形成されている。下部分２０５の上下方向の長さは、下引っ掛け片５１の上面から下板４８の下面までの距離よりも大きい。下部分２０５の左右方向の長さ（つまり幅）は、下引っ掛け片５１の左面からアーム固定板４４の右面までの距離よりも僅かに大きい。
【００５９】
貫通孔２００に支持アーム４ａの後端部（引っ掛け片４９，５１がある部分）を前側から通した状態では、支持アーム４ａの固定板７０と上板４７と下板４８は、貫通孔２００内を下方に移動可能である。
【００６０】
前壁２０は、貫通孔２００の上部分２０３と下部分２０５の間に位置する突出部２０６を有する。突出部２０６に、挿入孔２０１が設けられている。突出部２０６の上下方向の中央部に、右側の支え部材７ａの前取付板７１が固定される。左側の支え部材７ｂの前取付板７１は、左側の突出部２０６の上下方向の中央部に固定される。
【００６１】
続いて、箱型に組み立てられた器具本体２に対して、左右一対の支持アーム４ａ，４ｂ及びカバー５を組み立てる方法について説明する。左右一対の支持アーム４ａ，４ｂとカバー５とは、一体化した状態で、器具本体２に対して組み立てられる。
【００６２】
図４から図７には、器具本体２に対して左右一対の支持アーム４ａ，４ｂ及びカバー５を組み立てる様子を、右側から見た図が示されている。図４から図７では、器具本体２のうち、カバー５と右側の支持アーム４ａと、前壁２０と、右側の支え部材７ａのみを図示し、残りの構成の図示を省略している。左右の支持アーム４ａ，４ｂは、同様の方法で、器具本体２に対して組み立てられる。以下では、右側の支持アーム４ａを、器具本体２に対して組み立てる方法について説明する。
【００６３】
まず、図４に示すように、前壁２０の右側の貫通孔２００の前方に、支持アーム４ａを配置する。このとき、上引っ掛け片４９と上板４７とアーム固定板４４の上部を上部分２０３の前方に配置し、アーム固定板４４の上下方向の中央部を中間部分２０４の前方に配置し、下引っ掛け片５１と下板４８とアーム固定板４４の下部を下部分２０５の前方に配置する。
【００６４】
次いで、図５に示すように、支持アーム４ａを後方に移動させて、貫通孔２００に支持アーム４ａの後端部を挿入する。支持アーム４ａは、引っ掛け片４９，５１が前壁２０よりも後側に位置するまで挿入する。
【００６５】
次いで、図６に示すように、支持アーム４ａを下方に移動させる。このとき、支持アーム４ａは、下板４８が貫通孔２００の下縁に接するか又はこの下縁との間に僅かな隙間を形成する位置まで、下方に移動させる。
【００６６】
次いで、支持アーム４ａを更に後方に移動させる。このとき、支持アーム４ａは、下板４８と下引っ掛け片５１とでなされる外角部分が、支え部材７ａの下ガイド片７６の上面に当たる。これにより、支持アーム４ａの後部分４０は、図７に示すように、斜め上方にガイドされて、支持アーム４ａの引っ掛け片４９，５１の後面が支え部材７ａの後取付板７４の前面に当たる固定位置までガイドされる。なおこのとき、支持アーム４ａは、上板４７と上引っ掛け片４９とでなされる外角部分が、支え部材７ａの上ガイド片７５の下面に当たることで、斜め下方にガイドされて、前記の固定位置までガイドされてもよい。支持アーム４ａは、上下一対のガイド片７５，７６によって、上下方向から挟まれることで、固定位置に位置決めされる。
【００６７】
支持アーム４ａが固定位置に配置されると、支持アーム４ａのアーム固定板４４の固定孔４４０が、支え部材７ａの固定孔７００に対して、一直線上に並ぶ。またこのとき、支持アーム４ａのアーム固定板４４の固定孔４４０が、器具本体２の右側の側壁２３の挿入孔２３１に対しても一直線上に並ぶ。器具本体２の右側の側壁２３の挿入孔２３１と、支持アーム４ａの固定孔４４０と、支え部材７ａの固定孔７００は、この順に一直線上に並ぶ。
【００６８】
次いで、右側の側壁２３の挿入孔２３１に、右側から固定具６を挿入して、固定具６を右側の支え部材７ａの固定孔７００に固定することで、右側の支持アーム４ａは、器具本体２及び右側の支え部材７ａに対して固定される。
【００６９】
上述した右側の支持アーム４ａと同様の組み立て方法で、左側の支持アーム４ｂは、器具本体２及び左側の支え部材７ｂに対して固定される。
【００７０】
以上のように組み立てることで、図１に示す照明器具１が形成される。
【００７１】
続いて、照明器具１の左右の固定具６が左右の支持アーム４ａ，４ｂから外れたときの支持アーム４ａ，４ｂ及びカバー５の動作について説明する。左右の支持アーム４ａ，４ｂは、同様の方法で器具本体２から外れていく。以下では、右側の支持アーム４ａが、器具本体２から外れていく様子を説明する。
【００７２】
図８に示すように、カバー５及び支持アーム４ａは、自重によって支持アーム４ａの前部分４１及びカバー５が下がる。支持アーム４ａは、貫通孔２００の下縁に当たり、この下縁に当たった箇所を中心に、支持アーム４ａの後部分４０が上方へ回転し、支持アーム４ａの下引っ掛け片５１が、支え部材７ａの下板７３の下面７３０に当たる（引っ掛かる）。これにより、支持アーム４ａは、前下がりの傾きが大きくなり、前側に移動する方向の力が増えることが抑制される。
【００７３】
カバー５及び支持アーム４ａが自重によって更に前側に移動すると、図９に示すように、支持アーム４ａの上引っ掛け片４９が、前壁２０の突出部２０６に後側から当たる（引っ掛かる）。またこのとき、支持アーム４ａの下引っ掛け片５１は、支え部材７ａの下板７３の下面７３０に当たっている（引っ掛かっている）。これにより、支持アーム４ａ及びカバー５は、自重による前側への移動が止められ、貫通孔２００から抜け落ちることが防がれる。なお、左側の支持アーム４ｂについても、右側の支持アーム４ａと同様に、前壁２０の左側の貫通孔２００を通じて前側に移動した後、引っ掛け片４９，５１によって、前側への移動が止められる。
【００７４】
支持アーム４ａ，４ｂの上引っ掛け片４９が前壁２０の左右の突出部２０６に引っ掛かった状態で、カバー５は、器具本体２の前壁２０に対して、１０°以上傾いて位置する。
【００７５】
３．作用効果
以上説明した本実施形態の照明器具１では、左右の支持アーム４ａ，４ｂが、固定具６が外れたときに前壁２０に対して後側から引っ掛かる引っ掛け部４２（上引っ掛け片４９）を有している。そのため、本実施形態の照明器具１では、固定具６が外れたときに、左右の支持アーム４ａ，４ｂが前壁２０の貫通孔２００から抜け出すことを防ぐことができて、カバー５が外れにくい。
【００７６】
加えて、本実施形態の照明器具１では、固定具６が外れたときに、左右の支持アーム４ａ，４ｂの第二引っ掛け部４３（下引っ掛け片５１）が、支え部材７ａ，７ｂに対して下側から引っ掛かる。そのため、本実施形態の照明器具１では、左右の支持アーム４ａ，４ｂの前下がりの傾斜角度が大きくなることを抑制することができて、左右の支持アーム４ａ，４ｂの前側への移動を抑制することができる。
【００７７】
また、本実施形態の照明器具１では、固定具６が外れ、支持アーム４ａ，４ｂの引っ掛け部４２が前壁２０の突出部２０６に引っ掛かった状態で、支持アーム４ａ，４ｂの第二引っ掛け部４３が支え部材７ａ，７ｂに引っ掛かる。そのため、本実施形態の照明器具１では、支持アーム４ａ，４ｂの引っ掛け部４２が前壁２０の突出部２０６に引っ掛かった状態を維持しやすく、前壁２０から支持アーム４ａ，４ｂの引っ掛け部４２が外れにくい。
【００７８】
また、本実施形態の照明器具１では、支え部材７ａ，７ｂが、固定板７０の下端から左右方向内側に突出する下板７３を有するため、下板７３を有さない場合に比べて、支持アーム４ａ，４ｂの第二引っ掛け部４３（下引っ掛け片５１）が引っ掛かる面積が大きい。そのため、本実施形態の照明器具１では、支持アーム４ａ，４ｂの第二引っ掛け部４３が支え部材７ａ，７ｂに対して下側から引っ掛りやすい。
【００７９】
また、本実施形態の照明器具１では、器具本体２の前壁２０に設けた貫通孔２００は、引っ掛け部４２に対応した大きさの上部分２０３と、その下に位置する幅狭の中間部分２０４と、その下に位置する下部分２０５とを含む。そのため、本実施形態の照明器具１では、支持アーム４ａ，４ｂは、貫通孔２００に挿入した位置から下方にずれると、引っ掛け部４２が前壁２０の上部分２０３の下縁（突出部２０６）に引っ掛かることができ、貫通孔２００から抜け落ちにくい。
【００８０】
また、本実施形態の照明器具１では、貫通孔２００を支持アーム４の後部分４０よりも上下方向に長く設けたことで、引っ掛け部４２が前壁２０に引っ掛かった状態で、カバー５の前壁２０に対する角度をある程度（本実施形態では１０°以上）大きくできる。そのため、本実施形態の照明器具１では、固定具６による固定が解除されたことが、外観上わかりやすい。
【００８１】
また、本実施形態の照明器具１では、支持アーム４ａ，４ｂの引っ掛け部４２，４３がアーム固定板４４の厚み方向に並んで位置するため、支持アーム４ａ，４ｂの後部分４０を上下方向にコンパクトに設けることができる。また、これにより、貫通孔２００も上下方向にコンパクトに設けることができ、貫通孔２００が目立ちにくい。
【００８２】
また、本実施形態の照明器具１では、器具本体２内にガイド部（ガイド片７５，７６）を設けたことで、支持アーム４ａ，４ｂの後部分４０を、固定具６で固定される固定位置へと挿入しやすい。
【００８３】
また、本実施形態の照明器具１では、ガイド部を支え部材７ａ，７ｂの一部で構成したことで、別部材で設ける場合に比べて、支持アーム４ａ，４ｂの後部分４０を、固定位置へと案内しやすく、また、部品点数を抑えることができる。
【００８４】
４．変形例
以上説明した本実施形態の照明器具１は、下記の変形例を採用可能である。
【００８５】
支持アーム４の後部分４０は、第二引っ掛け部４３（下引っ掛け片５１）を有さなくてもよい。この場合、支持アーム４は、前壁２０の貫通孔２００の下縁に支持された状態で、引っ掛け部４２が前壁２０の突出部２０６に後側から引っ掛かることで、貫通孔２００からの抜け落ちが防がれる。
【００８６】
また、照明器具１は、支え部（支え部材７ａ，７ｂ）を備えなくてもよく、支持アーム４は、器具本体２の側壁２３に対してのみ固定具６で固定されてもよい。この場合、支持アーム４は、第二引っ掛け部４３（下引っ掛け片５１）を有さなくてもよい。
【００８７】
また、支え部（支え部材７ａ，７ｂ）は、下板７３を有さなくてもよく、第二引っ掛け部４３（下引っ掛け片５１）は、固定板７０の下面に対して引っ掛かってもよい。
【００８８】
また、支持アーム４は、前壁２０に引っ掛かる引っ掛け部４２を有していればよく、引っ掛け部４２は、支持アーム４のアーム固定板４４の厚み方向に並んで位置するものに限らず、アーム固定板４４の上側又は下側に突出して位置してもよい。
【００８９】
また、照明器具１は、ガイド部（ガイド片７５，７６）を備えなくてもよい。また、ガイド部は、支え部材７の一部に限らず、支え部材７とは別の部材で構成されてもよい。
【００９０】
また、支え部は、器具本体２に対して固定される別体の支え部材７で構成されなくてもよく、側壁２３の一部や、器具本体２内に設置される各種装置のケースの一部で構成してもよい。
【００９１】
また、照明器具１は、非常灯及び階段通路誘導灯を兼用する照明器具に限定されず、非常用光源ユニット１０を備えなくてもよい。
【００９２】
また、照明器具１は、カバー５が透光性を有さなくてもよく、間接照明として用いられるものであってもよい。
【００９３】
また、照明器具１は、センサ８を備えなくてもよい。また、センサ８が検出する周囲の状況は人に限らず、明るさであってもよい。
【００９４】
５．まとめ
以上説明した一実施形態及びその変形例のように、第一態様の照明器具（１）は、下記の構成を備える。
【００９５】
すなわち、第一態様の照明器具（１）は、前壁（２０）を有する箱型の器具本体（２）と、器具本体（２）に設置され、前壁（２０）の前方に向けて照明光を放射する光源ユニット（３）と、支持アーム（４）と、カバー（５）と、固定具（６）と、を備える。支持アーム（４）は、前壁（２０）に設けられた貫通孔（２００）を通じて器具本体（２）内に挿入される後部分（４０）と、前壁（２０）から前方に突出する前部分（４１）とを有する。カバー（５）は、前部分（４１）に支持され、光源ユニット（３）を前方から覆う。固定具（６）は、後部分（４０）を器具本体（２）に固定する。後部分（４０）には、固定具（６）が後部分（４０）から外れた状態において前壁（２０）に引っ掛かる引っ掛け部（４２）が設けられている。
【００９６】
上記構成を備えることで、第一態様の照明器具（１）では、固定具（６）が支持アーム（４）の後部分（４０）から外れた状態において、支持アーム（４）の引っ掛け部（４２）が前壁（２０）に引っ掛かる。そのため、第一態様の照明器具（１）では、支持アーム（４）が前壁（２０）の貫通孔（２００）から抜け出すことを防ぐことができて、カバー（５）が外れにくい。
【００９７】
また、上述した一実施形態及びその変形例のように、第二態様の照明器具（１）は、第一態様の照明器具（１）の構成に加えて、下記の構成を付加的に備える。
【００９８】
すなわち、第二態様の照明器具（１）は、器具本体（２）内に設けられる支え部（支え部材７ａ，７ｂ）を更に備える。支持アーム（４）の後部分（４０）には、固定具（６）が後部分（４０）から外れた状態において支え部に下側から引っ掛かる第二引っ掛け部（４３）が設けられている。
【００９９】
上記構成を備えることで、第二態様の照明器具（１）では、固定具（６）が支持アーム（４）の後部分（４０）から外れた状態において、後部分（４０）の第二引っ掛け部（４３）が支え部に下側から引っ掛かる。そのため、第二態様の照明器具（１）では、支持アーム（４）が前下がりに大きく傾いて、貫通孔（２００）から抜け出す方向へ移動しやすくなることを抑制することができる。
【０１００】
また、上述した一実施形態及びその変形例のように、第三態様の照明器具（１）は、第二態様の照明器具（１）の構成に加えて、下記の構成を付加的に備える。
【０１０１】
すなわち、第三態様の照明器具（１）は、支え部（支え部材７ａ，７ｂ）は、固定具（６）が固定される固定板（７０）と、固定板（７０）の下端から固定板（７０）の厚み方向に突出し、第二引っ掛け部（４３）が下側から引っ掛かる下板（７３）と、を有する。
【０１０２】
上記構成を備えることで、第三態様の照明器具（１）では、支え部に対する第二引っ掛け部（４３）の接触面積を増やすことができ、支え部によって支持アーム（４）の前下がりとなる方向への回転を安定的に抑えることができる。
【０１０３】
また、上述した一実施形態及びその変形例のように、第四態様の照明器具（１）は、第一から第三態様のいずれか一つの照明器具（１）の構成に加えて、下記の構成を付加的に備える。
【０１０４】
すなわち、第四態様の照明器具（１）では、貫通孔（２００）は、引っ掛け部（４２）が通過可能な上部分（２０３）と、上部分（２０３）の下方に位置する中間部分（２０４）と、中間部分（２０４）の下方に位置する下部分（２０５）と、を含む。中間部分（２０４）は、引っ掛け部（４２）よりも幅が狭い。
【０１０５】
上記構成を備えることで、第四態様の照明器具（１）では、貫通孔（２００）の一部（中間部分２０４）の幅を狭く設けることで、前壁（２０）に支持アーム（４）の引っ掛け部（４２）が引っ掛かる部分を簡単に形成することができる。
【０１０６】
また、上述した一実施形態及びその変形例のように、第五態様の照明器具（１）は、第一から第四態様のいずれか一つの照明器具（１）の構成に加えて、下記の構成を付加的に備える。
【０１０７】
すなわち、第五態様の照明器具（１）では、器具本体（２）内に設けられるガイド部（ガイド片７５，７６）を更に備える。ガイド部は、貫通孔（２００）を通じて器具本体（２）内に挿入される後部分（４０）を受けて、後部分（４０）を固定具（６）によって器具本体（２）に固定される固定位置へと案内する。
【０１０８】
上記構成を備えることで、第五態様の照明器具（１）では、支持アーム（４）の後部分（４０）を器具本体（２）内に挿入する際に、後部分（４０）を器具本体（２）に対して固定される固定位置に配置しやすい。
【０１０９】
また、上述した一実施形態及びその変形例のように、第六態様の照明器具（１）は、第一から第五態様のいずれか一つの照明器具（１）の構成に加えて、下記の構成を付加的に備える。
【０１１０】
すなわち、第六態様の照明器具（１）では、支持アーム（４）の後部分（４０）は、固定具（６）が固定されるアーム固定板（４４）を有し、引っ掛け部（４２）は、アーム固定板（４４）に対してアーム固定板（４４）の厚み方向に並んで位置する。
【０１１１】
上記構成を備えることで、第六態様の照明器具（１）では、支持アーム（４）の後部分（４０）を上下方向にコンパクトに設けることができて、貫通孔（２００）も上下方向にコンパクトに設けることができる。
【０１１２】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１１３】
１      照明器具
２      器具本体
２０    前壁
２００  貫通孔
２０３  上部分
２０４  中間部分
２０５  下部分
３      光源ユニット
４      支持アーム
４０    後部分
４１    前部分
４２    引っ掛け部
４３    第二引っ掛け部
４４    アーム固定板
５      カバー
６      固定具
７ａ    支え部材（支え部）
７ｂ    支え部材（支え部）
７０    固定板
７３    下板
７５    ガイド片（ガイド部）
７６    ガイド片（ガイド部）
【図１】
2020173995.tif 000003
【図２】
2020173995.tif 000004
【図３】
2020173995.tif 000005
【図４】
2020173995.tif 000006
【図５】
2020173995.tif 000007
【図６】
2020173995.tif 000008
【図７】
2020173995.tif 000009
【図８】
2020173995.tif 000010
【図９】
2020173995.tif 000011